(57)【要約】      （修正有）【課題】設置及び撤去が短時間で簡単に行うことが可能な防音壁を提供する。【解決手段】工事現場と住宅地との間に設置し、工事による騒音を遮断する防音壁１００は、複数のフレーム部材５、５’と、フレーム部材５、５’の間に配され、フレーム部材５、５’の間の距離を調整する伸縮機構７０と、フレーム部材５、５’に取り付けられ、フレーム部材５、５’を覆うように配される防音シート８０と、からなる。【選択図】図５
2015161087.tif 000002
【特許請求の範囲】
【請求項１】
複数のフレーム部材と、
前記フレーム部材の間に配され、前記フレーム部材の間の距離を調整する伸縮機構と、
前記フレーム部材に取り付けられ、前記フレーム部材を覆うように配される防音シートと、
からなることを特徴とする防音壁。
【請求項２】
前記フレーム部材の接地箇所には、車輪が配されることを特徴とする請求項１に記載の防音壁。
【請求項３】
前記フレーム部材には、梁部材が設けられており、前記梁部材からワイヤ部材が吊下されることを特徴とする請求項１又は請求項２に記載の防音壁。
【請求項４】
前記ワイヤ部材にはフック部材が設けられることを特徴とする請求項３に記載の防音壁。
【請求項５】
前記ワイヤ部材にはターンバックルが設けられていることを特徴とする請求項３又は請求項４に記載の防音壁。
【請求項６】
１本の前記梁部材からは、２本の前記ワイヤ部材が吊下されることを特徴とする請求項３乃至請求項５のいずれか１項に記載の防音壁。
【請求項７】
前記ワイヤ部材によって地面に固定されることを特徴とする請求項２乃至請求項６のいずれか１項に記載の防音壁。
【請求項８】
前記防音シートには、面ファスナーが設けられることを特徴とする請求項１乃至請求項７のいずれか１項に記載の防音壁。
【請求項９】
前記面ファスナーは、前記防音シートの端部であって、前記フレーム部材の側面に沿う方向にわたって設けられることを特徴とする請求項１乃至請求項８のいずれか１項に記載の防音壁。
【請求項１０】
前記面ファスナーは、前記フレーム部材が伸縮機構する方向にわたって設けられることを特徴とする請求項１乃至請求項９のいずれか１項に記載の防音壁。
【請求項１１】
複数の前記フレーム部材のうち、端部に配される前記フレーム部材には、係合部が設けられることを特徴とする請求項１乃至請求項１０のいずれか１項に記載の防音壁。
【請求項１２】
前記係合部の形状がコ字状であることを特徴とする請求項１１に記載の防音壁。
【請求項１３】
端部に配される前記フレーム部材に設けられる係合部が４つであることを特徴とする請求項１１又は請求項１２に記載の防音壁。
【発明の詳細な説明】
【技術分野】
【０００１】
本発明は、工事現場と住宅地との間に設置し、工事による騒音を遮断する防音壁に関する。
【背景技術】
【０００２】
住宅地に近接した工事現場においては、工事によって生ずる騒音を可能な限り遮るようにし、当該住宅地に工事の影響を与えないようにすることが望ましい。
【０００３】
そこで、工事現場と住宅地との間に、工事による騒音を遮断するための防音壁を設けることが提案されている。
【０００４】
このような防音壁の一例として、例えば、特許文献１（特開２０１２−６２６９４号公報）には、エアー注入により組立可能なエアーチューブの骨組の内方に、遮音（防音）シートのテント膜を吊下げ展設したことを特徴とした建設工事用防音テントが開示されている。
【特許文献１】特開２０１２−６２６９４号公報
【発明の概要】
【発明が解決しようとする課題】
【０００５】
しかしながら、特許文献１記載の従来のものを設置するためには、コンプレッサーなどを準備する必要があるなど、必ずしも、短い時間で簡便に設置したり、撤去したりすることができない、という問題もあった。また、従来のものを保管するためには、所定の手順で折りたたみする必要があることが予想されるなど、保管上の利便性にも欠ける、という問題もあった。
【課題を解決するための手段】
【０００６】
この発明は、上記課題を解決するものであって、請求項１に係る発明は、複数のフレーム部材と、前記フレーム部材の間に配され、前記フレーム部材の間の距離を調整する伸縮機構と、前記フレーム部材に取り付けられ、前記フレーム部材を覆うように配される防音シートと、からなることを特徴とする。
【０００７】
また、請求項２に係る発明は、請求項１に記載の防音壁において、前記フレーム部材の接地箇所には、車輪が配されることを特徴とする。
【０００８】
また、請求項３に係る発明は、請求項１又は請求項２に記載の防音壁において、前記フレーム部材には、梁部材が設けられており、前記梁部材からワイヤ部材が吊下されることを特徴とする。
【０００９】
また、請求項４に係る発明は、請求項３に記載の防音壁において、前記ワイヤ部材にはフック部材が設けられることを特徴とする。
【００１０】
また、請求項５に係る発明は、請求項３又は請求項４に記載の防音壁において、前記ワイヤ部材にはターンバックルが設けられていることを特徴とする。
【００１１】
また、請求項６に係る発明は、請求項３乃至請求項５のいずれか１項に記載の防音壁において、１本の前記梁部材からは、２本の前記ワイヤ部材が吊下されることを特徴とする。
【００１２】
また、請求項７に係る発明は、請求項２乃至請求項６のいずれか１項に記載の防音壁において、前記ワイヤ部材によって地面に固定されることを特徴とする。
【００１３】
また、請求項８に係る発明は、請求項１乃至請求項７のいずれか１項に記載の防音壁において、前記防音シートには、面ファスナーが設けられることを特徴とする。
【００１４】
また、請求項９に係る発明は、請求項１乃至請求項８のいずれか１項に記載の防音壁において、前記面ファスナーは、前記防音シートの端部であって、前記フレーム部材の側面に沿う方向にわたって設けられることを特徴とする。
【００１５】
また、請求項１０に係る発明は、請求項１乃至請求項９のいずれか１項に記載の防音壁において、前記面ファスナーは、前記フレーム部材が伸縮機構する方向にわたって設けられることを特徴とする。
【００１６】
また、請求項１１に係る発明は、請求項１乃至請求項１０のいずれか１項に記載の防音壁において、複数の前記フレーム部材のうち、端部に配される前記フレーム部材には、係合部が設けられることを特徴とする。
【００１７】
また、請求項１２に係る発明は、請求項１１に記載の防音壁において、前記係合部の形状がコ字状であることを特徴とする。
【００１８】
また、請求項１３に係る発明は、請求項１１又は請求項１２に記載の防音壁において、端部に配される前記フレーム部材に設けられる係合部が４つであることを特徴とする。
【発明の効果】
【００１９】
本発明に係る防音壁は、フレーム部材と、このフレーム部材の間の距離を調整する伸縮機構と、フレーム部材に取り付けられ、フレーム部材を覆うように配される防音シートと、からなる簡易な構成であるために、設置及び撤去が短時間で簡単に行うことが可能となる。また、保管においては、伸縮機構によって、フレーム部材の間の距離を縮めるだけであるので、保管上の利便性が向上する。
【図面の簡単な説明】
【００２０】
【図１】本発明に係る防音壁１００を構成する端部用のフレーム部材５を説明する図である。
【図２】本発明に係る防音壁１００を構成する中間部用のフレーム部材５’を説明する図である。
【図３】伸縮機構７０を構成する棹部材７３によって連結されたフレーム部材５、５’を示す図である。
【図４】伸縮機構７０を構成する棹部材７３によって連結されたフレーム部材５、５’を示す図である。
【図５】複数の棹部材７３で連結されたフレーム部材５、５’に、防音シート８０が縫いつけられ本発明に係る防音壁１００とされた図である。
【図６】複数の棹部材７３で連結されたフレーム部材５、５’に、防音シート８０が縫いつけられ本発明に係る防音壁１００とされた図である。
【図７】本発明に係る防音壁１００の設置方法を説明する図である。
【図８】本発明に係る防音壁１００の設置例を説明する図である。
【図９】本発明の他の実施形態に係る防音壁１００を説明する図である。
【図１０】本発明の他の実施形態に係る防音壁１００の利用形態を説明する図である。
【図１１】本発明の他の実施形態に係る防音壁１００の利用形態を説明する図である。
【発明を実施するための形態】
【００２１】
以下、本発明の実施の形態を図面を参照しつつ説明するが、本発明の実施形態に係る防音壁１００の構成部品や、その組み立て工程などに基づいて、防音壁１００全体としての構成を把握することができるように説明を進めていく。
【００２２】
図１は本発明の実施形態に係る防音壁１００を構成する端部用のフレーム部材５を説明する図であり、図１（Ａ）はフレーム部材５を正面から見た図であり、図１（Ｂ）はフレーム部材５を側面から見た図である。
【００２３】
防音壁１００の２つの端部側で用いるフレーム部材５は、鉄骨などの部材で構成されており、第１側脚部１０と、第２側脚部２０と、この間を渡すアーチ状の頂部３０とからなっている。
【００２４】
フレーム部材５の第１側脚部１０と、第２側脚部２０の接地箇所には、車輪４０が配されており、図１（Ａ）ではフレーム部材５が紙面に対して垂直方向に、また、図１（Ｂ）ではフレーム部材５が紙面の左右方向に容易に動き得るようにしている。
【００２５】
また、第１側脚部１０と、第２側脚部２０との間には、梁部材５０が設けられており、フレーム部材５の強度を上げるようにしている。本実施形態では、第１側脚部１０と、第２側脚部２０との間に渡された梁部材５０を設けるようにしているが、このような梁部材５０を設ける数、形態などについては任意とすることができる。
【００２６】
梁部材５０の下方には、２つのループ部材５５が形成されており、これらのループ部材５５を利用して、２本のワイヤ部材６０が吊下されるようになっている。なお、梁部材５０の下方から吊下するワイヤ部材６０の本数は任意とすることができる。
【００２７】
梁部材５０から、吊下されているワイヤ部材６０の先端部には、フック部材６５が設けられている。また、ワイヤ部材６０の中間部には、ターンバックル６３が配されている。
【００２８】
また、第１側脚部１０と第２側脚部２０には、貫通孔４３と、スリット４５とが設けられており、後述する伸縮機構７０のために利用される。」
防音壁１００の端部に設けられるフレーム部材５には、第１側脚部１０の上下に２つ、第２側脚部２０の上下に２つ、計４つのコ字状の係合部４７が設けられている。このようなコ字状の係合部４７は、（Ａ）防音壁１００を縮んだ状態で保持する際の結束のために用いたり、（Ｂ）複数の防音壁１００を用いる際、隣同士の防音壁１００の連結に用いたり、（Ｃ）防音壁１００の運搬時に防音壁１００をつり上げる際に用いたりすることができる。
【００２９】
図２は本発明の実施形態に係る防音壁１００を構成する中間部用のフレーム部材５’を説明する図であり、図２（Ａ）はフレーム部材５を正面から見た図であり、図２（Ｂ）はフレーム部材５を側面から見た図である。
【００３０】
中間部用のフレーム部材５’が、端部用のフレーム部材５と異なる点は、端部用のフレーム部材５では前述した係合部４７が設けられていたのに対して、中間部用のフレーム部材５’には、係合部４７が設けられていない点である。
【００３１】
以上のような構成の端部用のフレーム部材５及び中間部用のフレーム部材５’とは、棹
部材７３によって連結される。
【００３２】
フレーム部材５、５’の貫通孔４３の箇所においては、棹部材７３がフレーム部材５、５’に対して回動するように取り付けられ、回動構造部７５とされている。
【００３３】
また、フレーム部材５、５’のスリット４５の箇所においては、棹部材７３の一端部が、フレーム部材５、５’ のスリット４５内で上下動するように取り付けられ、上下動構
造部７７とされている。
【００３４】
上記のような構成で、両端部のフレーム部材５を互いに近づけることで、それぞれのフレーム部材５、５’の間隔が縮まり、両端部のフレーム部材５を互いに引き離すことで、それぞれのフレーム部材５、５’の間隔が伸びるようになっている。
【００３５】
以上のような、フレーム部材５、５’の貫通孔４３と、スリット４５と、棹部材７３とによって、フレーム部材５、５’の間の距離を調整可能とする機構を、伸縮機構７０と称している。
【００３６】
図３及び図４は伸縮機構７０を構成する棹部材７３によって連結されたフレーム部材５、５’を示す図であり、図３はフレーム部材５、５’間の距離を最大とした状態を示す図であり、図４はフレーム部材５、５’間の距離を最小とした状態を示す図である。
【００３７】
なお、いずれの図においても、（Ａ）はフレーム部材５を正面から見た図であり、（Ｂ）はフレーム部材５、５’を側面から見た図である。また、いずれの図においても、（Ａ）において、伸縮機構７０の図示を省略している。
【００３８】
以上のように、複数の棹部材７３で連結されたフレーム部材５、５’には、防音シート８０が縫いつけられ、本発明に係る防音壁１００とされる。
【００３９】
図５及び図６は複数の棹部材７３で連結されたフレーム部材５、５’に、防音シート８０が縫いつけられ本発明に係る防音壁１００とされた図である。
【００４０】
図５はフレーム部材５、５’間の距離を最大とし、防音壁１００を開いた状態を示しており、この状態で防音壁１００を使用する。
【００４１】
また、図６はフレーム部材５、５’間の距離を最小とし、防音壁１００を開いた状態を示しており、この状態で防音壁１００を保管したり、運搬したりする。
【００４２】
以上のような本発明に係る防音壁１００の設置について説明する。図７は本発明に係る防音壁１００の設置方法を説明する図であり、図７（Ａ）は防音壁１００を正面から見た図であり、図７（Ｂ）は防音壁１００を側面から見た図である。図７（Ｂ）に示される面が、遮音を行う面として、利用される。なお、より遮音効果を高めるために、このような防音壁１００の内側、外側などにさらに吸音材を取り付けることもできる。
【００４３】
本発明に係る防音壁１００の設置においては、まず、防音壁１００を、工事の音を遮りたい所望の場所に搬入し、フレーム部材５、５’間の距離を最大とし、防音壁１００を開く。
【００４４】
次に、杭部材１１０の頭部をワイヤ部材６０のフック部材６５に引っかけて、この杭部材１１０を地中に打ち込むことにより、フレーム部材５、５’を地面に対してしっかりと固定する。このとき、全てのフレーム部材５、５’に設けられている２つのワイヤ部材６
０を、図７に示すように交差させるようにして、フレーム部材５、５’を固定することが好ましい。また、このようなフレーム部材５、５’の工程においては、適宜ターンバックル６３を利用することで、ワイヤ部材６０に適切なテンションをかけるようにする。
【００４５】
なお、ワイヤ部材６０を用いて、フレーム部材５、５’を地面に対して固定する際には、杭部材１１０に代えて、適当な重しを使うようにしてもよい。
【００４６】
以上のように、本発明に係る防音壁１００においては、防音壁１００を広げて、ワイヤ部材６０によって、フレーム部材５、５’を地面に対して固定するようにするだけで設置を行うことができるので、設置時間が短くて済む。
【００４７】
図８は本発明に係る防音壁１００の設置例を説明する図である。図８に示すように、工事現場と住宅地との間に、本発明に係る防音壁１００を設置することで、工事によって生ずる騒音を遮るようにし、当該住宅地に工事の影響を与えないようにすることができるようになる。
【００４８】
ここで、本発明に係る防音壁１００においては、防音壁１００の内側で、ワイヤ部材６０によって、フレーム部材５、５’を地面に対して固定するようにしているが、これによるメリットを説明する。
【００４９】
仮に、防音壁１００の外側で、ワイヤ部材６０によって、フレーム部材５、５’を地面に対して固定する構造とした場合には、防音壁１００の設置スペースは、防音壁１００本体に加え、ワイヤ部材６０が配されるスペースも考慮しなければならない。そうすると、工事敷地内の境界線ぎりぎりのところに防音壁１００を設置することができなってしまう。
【００５０】
これに対して、本発明に係る防音壁１００においては、防音壁１００の内側で、ワイヤ部材６０によって、フレーム部材５、５’を地面に対して固定するようにしているので、図８に示すように、工事敷地内の境界線ぎりぎりのところに防音壁１００を設置することが可能となる。
【００５１】
以上のように、本発明に係る防音壁１００は、フレーム部材５、５’と、このフレーム部材５、５’の間の距離を調整する伸縮機構７０と、フレーム部材５、５’に取り付けられ、フレーム部材５、５’を覆うように配される防音シート８０と、からなる簡易な構成であるために、設置及び撤去が短時間で簡単に行うことが可能となる。また、保管においては、伸縮機構７０によって、フレーム部材５、５’の間の距離を縮めるだけであるので、保管上の利便性が向上する。
【００５２】
次に、本発明の他の実施形態について説明する。図９は本発明の他の実施形態に係る防音壁１００を説明する図である。
【００５３】
本実施形態においては、互いに着脱自在に係合可能な面ファスナー９１、９２が設けられている。このような面ファスナーとしては、「マジックテープ」（株式会社クラレの登録商標）を用いることができる。なお、面ファスナーに代えて、ボタンや、スライドファスナーなどの他の着脱手段を用いることもできる。
【００５４】
本実施形態においては、面ファスナーは、防音シート８０の端部であって、フレーム部材５、５’の側面に沿う方向にわたって設けられている。
【００５５】
例えば、面ファスナー９１が防音シート８０の内側に設けるとすると、面ファスナー９
１と面ファスナー９２は、防音シート８０の外側に設けるようにする。
【００５６】
以上のように、面ファスナーを設けるメリットを図１０に基づいて説明する。複数の防音壁１００を用いて、より広い遮音面を形成したい場合、複数の防音壁１００を図１０に示すように、連結することができるが、防音シート８０に面ファスナー９１、９２が設けられていると、複数の防音壁１００の防音シート８０同士を簡便に着脱することが可能となり、複数の防音壁１００の設置も簡便に行うことができるようになる。
【００５７】
また、他の実施形態として、図９示すように、面ファスナー９３、９４を、防音シート８０の地面に近い箇所で、フレーム部材５、５’が伸縮機構する方向にわたって設けるようにする。面ファスナー９３と、面ファスナー９４とは、お互いが面で係合するようになっている。
【００５８】
上記のように面ファスナー９３と、面ファスナー９４を設けるメリットを図１１に基づいて説明する。図１１は、防音壁１００を正面から見た図であり、面ファスナー９３と、面ファスナー９４とを係合した状態を示している。面ファスナー９３と、面ファスナー９４とをした状態とすると、  図１１からも分かるように、防音シート８０の裾が上がった状態を維持することが可能となる。
【００５９】
上記のように、防音シート８０の裾が上がった状態とすることができると、防音壁１００の運搬時などに、車輪４０に防音シート８０が巻き込まれることなどを防止することができ、より利便性が高くなる。
【００６０】
なお、本実施形態では、防音シート８０の裾が上がった状態を維持するために用いる着脱手段として、面ファスナーを採用しているが、適当な間隔をおいて配されるボタン、フック、ひもなどの着脱手段を採用するようにしてもよい。
【００６１】
以上、本発明に係る防音壁１００は、フレーム部材と、このフレーム部材５、５’の間の距離を調整する伸縮機構７０と、フレーム部材５、５’に取り付けられ、フレーム部材５、５’を覆うように配される防音シート８０と、からなる簡易な構成であるために、設置及び撤去が短時間で簡単に行うことが可能となる。また、保管においては、伸縮機構７０によって、フレーム部材５、５’の間の距離を縮めるだけであるので、保管上の利便性が向上する。
【符号の説明】
【００６２】
５・・・（端部）フレーム部材
５’・・・（中間部）フレーム部材
１０・・・第１側脚部
２０・・・第２側脚部
３０・・・頂部
４０・・・車輪
４３・・・貫通孔
４５・・・スリット
４７・・・係合部
５０・・・梁部材
５５・・・ループ部材
６０・・・ワイヤ部材
６３・・・ターンバックル
６５・・・フック部材
７０・・・伸縮機構
７３・・・棹部材
７５・・・回動構造部
７７・・・上下動構造部
８０・・・防音シート
９１・・・面ファスナー
９２・・・面ファスナー
９３・・・面ファスナー
９４・・・面ファスナー
１００・・・防音壁
１１０・・・杭部材
【図１】
2015161087.tif 000003
【図２】
2015161087.tif 000004
【図３】
2015161087.tif 000005
【図４】
2015161087.tif 000006
【図５】
2015161087.tif 000007
【図６】
2015161087.tif 000008
【図７】
2015161087.tif 000009
【図８】
2015161087.tif 000010
【図９】
2015161087.tif 000011
【図１０】
2015161087.tif 000012
【図１１】
2015161087.tif 000013